(57)【特許請求の範囲】
【請求項１】
インキタンクに自由状態で収容したインキをペン先ホルダーに取り付けたペン先に供給するための流通制御部材として縦断面櫛歯状の一時的インキ溜め部を有する一時的インキ溜め部材を有してなる筆記具において、前記一時的インキ溜め部材の中間部であって前記一時的インキ溜め部に前記櫛歯の存在しない弱毛細管力部を形成し、この弱毛細管力部に前記ペン先ホルダーの先端に開口する空気置換のための空気流通孔を形成すると共に、前記櫛歯間を連通せしめる空気流通溝とスリットを形成し、前記弱毛細管力部に空気流通溝を開口せしめたことを特徴とする筆記具。
【発明の詳細な説明】
【０００１】
【発明の属する技術分野】
本発明は、インキタンクに自由状態で収容したインキをペン先に供給するための流通制御部材として縦断面櫛歯状の一時的インキ溜め部を有する一時的インキ溜め部材を有してなる筆記具に関する。
【０００２】
【従来の技術】
インキタンクに自由状態で収容したインキをペン先に供給するための流通制御部材として縦断面櫛歯状の一時的インキ溜め部を有する一時的インキ溜め部材を有してなる筆記具は、所謂生インキ式の筆記具とよばれ、大容量のインキを収容するインキタンクを使用できると共にペン先への豊富なインキ供給をなすことができ、みずみずしい筆跡が得られるものとして知られている。しかしながら、大量のインキをペン先に供給するがゆえに、インキ洩れやインキ不足などのインキ制御には細心の注意を払い設計されている。
【０００３】
即ち、生インキ式筆記具であって、インキの流通制御部材として一時的インキ溜め部材を有してなるものは、インキタンク内のインキをペン先に供給するに際して一時的インキ溜め部材と筆記具本体との間の空間を通して外気をインキタンク内に供給し、インキタンク内が負圧化しないようになしている。よって、基本的に一時的インキ溜め部材と筆記具本体とを実質的に接続するペン先ホルダー部に外気と連通する空気孔の開口部を形成しているものである。
【０００４】
【発明が解決しようとする課題】
一時的インキ溜め部材は、毛細管力を有する断面櫛歯状部分の櫛歯間空間を過剰なインキが一時的に溜る部分としてある。よって、前述のインキタンク内に空気を供給する部分である一時的インキ溜め部材と筆記具本体との間の空間に対して開放されている。即ち、一時的インキ溜め部材の櫛歯間空間に溜ったインキは毛細管力で保持されているのみであり、外界に連通する空間に対して開放する部位に存在していることになる。よって、筆記具自体に衝撃が付与されると一時的インキ溜め部材が一時的に溜めているインキは容易に外界と連通する空間に飛散することになる。飛散したインキは筆記具本体の内壁に付着し、そのまま空気の連通する空間を通じて外界にインキ洩れとして現れることになるという問題があった。
【０００５】
【課題を解決するための手段】
即ち、本発明は、「インキタンクに自由状態で収容したインキをペン先ホルダーに取り付けたペン先に供給するための流通制御部材として縦断面櫛歯状の一時的インキ溜め部を有する一時的インキ溜め部材を有してなる筆記具において、前記一時的インキ溜め部材の中間部であって前記一時的インキ溜め部に前記櫛歯の存在しない弱毛細管力部を形成し、この弱毛細管力部に前記ペン先ホルダーの先端に開口する空気置換のための空気流通孔を形成すると共に、前記櫛歯間を連通せしめる空気流通溝とスリットを形成し、前記弱毛細管力部に空気流通溝を開口せしめたことを特徴とする筆記具。」を要旨とする。
【０００６】
【作用】
先ず、インキタンクに空気を供給するための空気通路は、直接的に空気流通路の開口部に連通しないようになす。即ち、一時的インキ溜め部材の中腹部分に形成したインキの存在しにくい部分に開口させる。この部分を毛細管力を発揮するような櫛歯を形成せずに弱毛細管力部とするのはこのためである。本来は毛細管力の全くない部分とすることが好ましいが、実際的ではないので弱毛細管力部とした。また、この弱毛細管力部も一時的インキ溜め部とスリットで連通させ、万一インキが浸入しても速やかに他の一時的インキ溜め部にインキが移動し、空気流通孔まで達しないものである。
【０００７】
【実施例】
以下、図面に基づき一例について説明する。図１に示すものは、外装体（図示せず）内に収納して使用する、所謂筆記具のリフィルの例である。自由状態のインキを内蔵する金属製の有底筒体１内の開口部側にペン先ホルダー部２と一時的インキ溜め部３とからなる一時的インキ溜め部材４を取り付け、底側をインキタンク部５とし、一時的インキ溜め部材４のペン先ホルダー部２に継ぎ手パイプ６を介してボールペンチップ７を取り付けている。一時的インキ溜め部材４は、金属製の有底筒体１の塑性変形により縮径された内包突部８に嵌合することで固定されている。また、繊維集束体よりなるインキ中継芯９がボールペンチップ７の内孔より一時的インキ溜め部材４の中心孔１０を経てインキタンク部５に達している。
【０００８】
一時的インキ溜め部材４は、一時的インキ溜め部３として複数の櫛歯１１を有しており各櫛歯間の空間１２及び中心孔１０に連通するスリット１３が形成されている。温度変化などでインキタンク部５に圧力がかかった場合、圧力に押し出される過剰なインキはインキ中継芯９を経てボールペンチップ７には供給されずにスリット１３を経て櫛歯１１間の空間１２に一時的に溜められる。
【０００９】
また、前記スリット１３とは別に、筆記に供したインキの体積分インキタンク部５内に空気を供給するための空気流通溝１４が各櫛歯間の空間１２に連通して形成されている。空気流通溝１４は、各櫛歯間の空間１２とインキタンク部５とのインキの移動部分であるスリット１３とは異なり、毛細管力が働きにくい空間としており、インキが存在して空気の流通が阻害されないようになしてある。
【００１０】
本例の場合、粘度１０ｃｐｓ以下、表面張力２０〜５０ｄｙｎ／ｃｍ程度の水性顔料インキとアクリロニトリルブタジエンスチレン製の一時的インキ溜め部材４を使用しており、一時的インキ溜め部材４に対するインキの接触角は２０°〜５０°程度であり、毛細管力によるインキ保持能力を考慮して、櫛歯１１間の距離（空間１２の幅）及びスリット１３の幅は０．１ｍｍ〜０．５ｍｍ程度に設定されている。
【００１１】
図１のＩ部拡大図である図２に示すように、このような櫛歯１１の形成されている一時的インキ溜め部３に櫛歯１１間の距離の広い部分が弱毛細管部１５として形成されている。弱毛細管部１５は、他の櫛歯間空間１２やスリット１３に比してインキ保持能力が殆どなく、相対的にインキの存在し難い部分となっている。ちなみに、本例のものでは、弱毛細管部１５の幅が１．０ｍｍに設定してある。また、図２のＡ−Ａ方向断面矢視図である図３に示すように、この弱毛細管部１５には、ペン先ホルダー部２の先端に開口する空気流通孔１６が開口している。空気流通溝１４のペン先ホルダー部２の先端の開口部分は、継ぎ手パイプ６の全周に渡り開口している。
【００１２】
このような筆記具は、通常、ペン先が下でインキタンク部が上になるような形で使用される。上述のごとく、インキタンク部５に圧力がかかった場合の過剰インキはスリット１３を介して櫛歯間空間１２に溜められる。
【００１３】
この際、衝撃などが付与されると、櫛歯間空間１２に溜められたインキが飛散して有底筒体１の内壁１ａに付着する。内壁１ａに付着したインキは、規制を受けていないので、内壁１ａを伝って引力によりペン先側に落ちていくことになる。有底筒体１の最もペン先側部分である開口部は、ペン先ホルダー部３により密閉されており、ここからインキが外部に洩れ出すことはない。
【００１４】
また、前述の弱毛細管部１５は、有底筒体１の開口部相当部分である一時的インキ溜め部３の最もペン先側部分には形成しない。この部分に形成すると内壁１ａに付着したインキにより侵されることになるからである。よって、一時的インキ溜め部３の最もペン先側部分には櫛歯間空間１２が形成され、内壁１ａに付着したインキが有底筒体１の開口部近傍にまで達しても該部に位置する櫛歯間空間１２及びスリット１３に取り込まれることになる。即ち、空気流通孔１６が開口している弱毛細管部１５に浸入することはなく、空気流通孔１６よりインキ洩れが発生することが極力抑制されるものである。
【００１５】
図４〜図６に他の一例を示す。前述した例と基本的な構造は変わらないが、外界に開放する空気流通孔１６とインキタンク部５へ空気を供給する空気流通溝１４及びスリット１３の位置関係を工夫してインキ洩れを更に抑制したものとした例である。即ち、Ｂ−Ｂ線矢視図である図５及びＣ−Ｃ線矢視図である図６に示すように、空気流通孔１６には毛細管力が比較的強いスリット１３を開口し、毛細管力が弱い空気流通溝１４は空気流通孔１６と最も離れた位置関係となるようになしたものである。衝撃等によって筒体１の内壁に付着したインキは重力によってペン先側に移動し得るが、この際、空気流通溝１４は毛細管力が弱くインキを保持する能力がほとんどない空間であるので、内壁に付着したインキがこの空気流通溝１４部分を通って移動しやすい。通常は空気流通孔１６の開口する弱毛細管部１５及びスリット１３により空気流通孔１６にインキが達しないようになしているが、更なる衝撃や遠心力などが付与された場合、空気流通溝１４を経たインキが空気流通孔１６に移動してしまう可能性もでてくる。よって、万一、空気流通溝１４を経たインキが空気流通孔１６の開口する弱毛細管部１５にまで達したとしても、空気流通孔１６に達するまでには距離がありその分だけインキ洩れを抑制し得るものとなっている。尚、図４においては、スリット１３及び空気流通溝１４が表れないが、それぞれ破線にて示した。図面に向かって左側がスリット１３を示す破線であり、向かって右側が空気流通溝１４を示す破線である。
【００１６】
更に他の一例を図７及び図８に示すが、前述の図５及び部６に対応する断面矢視図である。本例は、空気流通溝１４の空気流通機能を損なわずに、筒体１の壁面に付着したインキが空気流通溝１４へ達しても空気流通孔１６の開口する弱毛細管部１５にまで達しないようになした一例である。即ち、空気流通溝１４とスリット１３とを同じ位置に形成し両者を連通したものである。よって、空気流通溝１４にインキが達したとしても比較的強い毛細管力を有する部分であるスリットにインキが回収され得るものである。
【００１７】以上の他にも本発明の要旨を逸脱しない限りで種々なせるものである。一例を挙げると、図示した例では、ボールペンペン先を有するリフィルとして示したが、外装体を用いずに、それ単体で筆記具とするものでもよいし、ペン先としては、フェルトペン、連通多孔を有する合成樹脂製ペン先等でもよい。また、有底筒体１も金属の他に合成樹脂の成型品としても良く、後端部に尾栓を取り付けてなるものとしても良い。一時的インキ溜め部材４は、アクリロニトリルブタジエンスチレンの他にアクリロニトリルスチレン、スチレン、ポリオキシメチレンなどを例示でき、インキに対する濡れ性を考慮して、親インキ処理などの表面処理を施しても良い。また、弱毛細管部１５を形成するに当っては、櫛歯間の広い部分を形成する他に、部分的に発インキの表面処理をおこなったり、該部の表面形状を周辺に比べて鏡面状にするなどすることもできる。
【００１８】
【発明の効果】
以上より、本発明は、インキタンクに自由状態で収容したインキをペン先ホルダーに取り付けたペン先に供給するための流通制御部材として縦断面櫛歯状の一時的インキ溜め部を有する一時的インキ溜め部材を有してなる筆記具において、前記一時的インキ溜め部材の中間部であって前記一時的インキ溜め部に前記櫛歯の存在しない弱毛細管力部を形成し、この弱毛細管力部に前記ペン先ホルダーの先端に開口する空気置換のための空気流通孔を形成すると共に、前記櫛歯間を連通せしめる空気流通溝とスリットを形成し、前記弱毛細管力部に空気流通溝を開口せしめているので、断面櫛歯状の一時的インキ溜め部材を採用した生インキ式の筆記具でありながら衝撃等が付与されてもインキ洩れの発生しにくいものである。
【図面の簡単な説明】
【図１】実施例を示す断面図。
【図２】図１のＩ部拡大図。
【図３】図２のＡ−Ａ方向断面矢視図。
【図４】他の実施例を示す要部拡大断面図。
【図５】図４のＢ−Ｂ方向断面矢視図。
【図６】図４のＣ−Ｃ方向断面矢視図。
【図７】更に他の実施例を示す図５相当図。
【図８】図７に示す実施例の図６相当図。
【符号の説明】
１  筒体
１ａ  内壁
２  ペン先ホルダー部
３  一時的インキ溜め部
４  一時的インキ溜め部材
５  インキタンク部
６  継ぎ手パイプ
７  ボールペンチップ
８  内包突部
９  インキ中継芯
１０  中心孔
１１  櫛歯
１２  空間
１３  スリット
１４  空気流通溝
１５  弱毛細管部
１６  空気流通孔
【図１】
0003596154.tif 000002
【図２】
0003596154.tif 000003
【図３】
0003596154.tif 000004
【図４】
0003596154.tif 000005
【図５】
0003596154.tif 000006
【図６】
0003596154.tif 000007
【図７】
0003596154.tif 000008
【図８】
0003596154.tif 000009